(57)【特許請求の範囲】
【請求項１】
紙幣を１枚ずつ機体内部に取り込む受入部と、
前記受入部により機体内部に取り込まれた紙幣を１枚ずつ搬送する搬送部と、
前記搬送部に設けられ、当該搬送部により搬送される紙幣の識別および計数を行う識別部であって、少なくとも紙幣が第１種別または第２種別であるか否かを識別する識別部と、
前記搬送部に接続され、当該搬送部から送られた紙幣を集積する第１スタッカであって、機体の外部から当該第１スタッカにアクセスするための開口が設けられた第１スタッカと、
前記搬送部に接続され、当該搬送部から送られた紙幣を集積し、機体の外部からアクセス可能な第２スタッカと、
前記第１スタッカに設けられ、当該第１スタッカの開口の開閉を行うシャッターと、
前記シャッターの駆動を行うシャッター駆動部と、
前記識別部により前記第１種別であると識別された紙幣を前記第１スタッカに送るとともに前記第１種別ではないと識別された紙幣を前記第２スタッカに送るよう前記搬送部を制御する制御部と、
を備え、
前記制御部は、前記受入部により紙幣を１枚ずつ機体内部に取り込む動作を行う間は前記シャッターにより前記第１スタッカの開口を閉止し、前記受入部により紙幣が全て機体内部に取り込まれた後、前記第２種別以外の紙幣が前記第２スタッカにあれば前記シャッターにより前記第１スタッカの開口を閉止し続け、前記第２種別以外の紙幣が前記第２スタッカになければ前記第１スタッカの開口を前記シャッターが開くよう前記シャッター駆動部の制御を行うことを特徴とする紙幣処理装置。
【請求項２】
前記第１種別は正券であり、前記第２種別は損券であることを特徴とする請求項１記載の紙幣処理装置。
【請求項３】
前記第１種別はおもて面の紙幣であり、前記第２種別は裏面の紙幣であることを特徴とする請求項１記載の紙幣処理装置。
【請求項４】
前記受入部により紙幣が全て機体内部に取り込まれた後、前記シャッターにより前記第１スタッカの開口が閉止されている場合に、前記第２スタッカから紙幣が取り除かれ、取り除かれた紙幣が前記受入部に載置されると、前記制御部は、前記受入部により紙幣を１枚ずつ機体内部に取り込ませるよう当該受入部の制御を行うことを特徴とする請求項１乃至３のいずれか一項に記載の紙幣処理装置。
【請求項５】
前記識別部による紙幣の計数結果を表示する表示部と、
前記制御部に対して操作者が指令を与えるための操作部と、
を更に備え、
前記受入部により紙幣が全て機体内部に取り込まれた後、前記シャッターにより前記第１スタッカの開口が開かれている場合に、前記表示部に表示された紙幣の計数結果について前記操作部により確定の指令が前記制御部に与えられると、前記制御部は、前記識別部による紙幣の計数結果を確定することを特徴とする請求項１乃至４のいずれか一項に記載の紙幣処理装置。
【請求項６】
前記受入部により紙幣が全て機体内部に取り込まれた後、前記シャッターにより前記第１スタッカの開口が閉止されている場合に、前記操作部により確定の指令が前記制御部に与えられると、前記制御部は、追加の紙幣計数工程を行うことを操作者に指示する旨の表示を前記表示部に表示させるよう当該表示部の制御を行うことを特徴とする請求項５記載の紙幣処理装置。
【請求項７】
前記受入部により紙幣が全て機体内部に取り込まれた後、前記シャッターにより前記第１スタッカの開口が閉止されている場合に、前記操作部により追加の紙幣計数工程を行うという指令が前記制御部に与えられると、前記制御部は、前記第１スタッカの開口を前記シャッターが開くよう前記シャッター駆動部の制御を行うことを特徴とする請求項５または６記載の紙幣処理装置。
【請求項８】
前記追加の紙幣計数工程を行うという指令が前記制御部に与えられた後、前記受入部に紙幣が載置されると、前記制御部は、前記シャッターにより前記第１スタッカの開口を閉止するよう前記シャッター駆動部の制御を行うことを特徴とする請求項７記載の紙幣処理装置。
【請求項９】
前記追加の紙幣計数工程において、前記制御部は、前記識別部により前記第１種別または前記第２種別であると識別された紙幣を前記第１スタッカに送るとともに前記第１種別または前記第２種別のどちらでもないと識別された紙幣を前記第２スタッカに送るよう前記搬送部を制御することを特徴とする請求項７または８記載の紙幣処理装置。
【請求項１０】
前記追加の紙幣計数工程において、前記制御部は、前記受入部により紙幣が全て機体内部に取り込まれた後、前記第２スタッカに紙幣があれば前記シャッターにより前記第１スタッカの開口を閉止し続け、前記第２スタッカに紙幣がなければ前記第１スタッカの開口を前記シャッターが開くよう前記シャッター駆動部の制御を行うことを特徴とする請求項７乃至９のいずれか一項に記載の紙幣処理装置。
【請求項１１】
前記受入部により紙幣が全て機体内部に取り込まれた後、前記シャッターにより前記第１スタッカの開口が閉止されている場合に、前記第２スタッカに偽券のみが存在するときには、前記制御部は、前記操作部により確定の指令が前記制御部に与えられると、偽券が前記第２スタッカに存在する旨の表示を前記表示部に表示させるよう当該表示部の制御を行うことを特徴とする請求項５記載の紙幣処理装置。
【請求項１２】
前記受入部により紙幣が全て機体内部に取り込まれた後、前記シャッターにより前記第１スタッカの開口が閉止されている場合に、前記第２スタッカに偽券のみがあるとき、前記制御部は、前記第２スタッカから紙幣が取り除かれた後、前記操作部により確定の指令が前記制御部に与えられると、前記第１スタッカの開口を前記シャッターが開くよう前記シャッター駆動部の制御を行うとともに前記識別部による紙幣の計数結果を確定することを特徴とする請求項５記載の紙幣処理装置。
【発明の詳細な説明】
【技術分野】
【０００１】
本発明は、紙幣の計数を行う紙幣処理装置に関し、とりわけ、操作者にとってシンプルな運用を行うことができるようになり、操作者が誤った操作を行ってしまうことを防止することができる紙幣処理装置に関する。
【背景技術】
【０００２】
従来から、紙幣の識別計数を行う紙幣処理装置として様々な種類のものが用いられている。例えば、特許文献１乃至３には、装置の上部位置に２以上のスタッカを有し、下部位置に４つのスタッカを有する紙幣処理装置が開示されている。一般的に、紙幣の識別計数を行う紙幣処理装置では、多数の紙幣を積層状態で受入部（具体的には、例えばホッパ）に載せてセットし、この受入部に設けられた繰出機構により紙幣を１枚ずつ機体内部に取り込み、機体内部に取り込まれた紙幣について識別部により識別および計数を行い、識別結果に基づいて紙幣を各スタッカに分類して集積させるようになっている。具体的には、例えば紙幣を正券、損券で分類して計数する場合、機体内部に取り込まれた紙幣のうち識別部により正券であると識別された紙幣は第１のスタッカに送られ、識別部により損券であると識別された紙幣は第１のスタッカとは異なる第２のスタッカに送られるようになっている。
【０００３】
一方、紙幣の識別計数を行う紙幣処理装置として、１つのスタッカおよび１つのリジェクト部のみが設けられたシンプルなタイプのものが用いられる場合がある。このような紙幣処理装置では、スタッカが１つしか設けられていないため、紙幣を例えば正券、損券で分類して計数したい場合には、１回目の計数処理において正券をスタッカに送るとともに損券をリジェクト部に送るようにする。なお、この際に、搬送異常の紙幣や偽券、識別不能券等からなる異常券もリジェクト部に送るようにする。そして、１回目の計数処理が終了した後、正券をスタッカから取り出すとともに、リジェクト部に集積された損券および異常券を受入部に再びセットし、２回目の計数処理において損券をスタッカに送るとともに異常券をリジェクト部に送るようにし、このようにして損券の計数を行う。
【０００４】
上述のような１つのスタッカおよび１つのリジェクト部のみが設けられたシンプルなタイプの紙幣処理装置では、スタッカおよびリジェクト部はそれぞれ機体の外部からアクセス可能となっているが、スタッカにシャッターが設けられたタイプのものもある。このようなシャッターにより、スタッカの開口が選択的に閉止されるようになる。具体的には、例えば、紙幣の計数処理を行う間はシャッターによりスタッカの開口を閉止し、紙幣が受入部により全て機体内部に取り込まれ、スタッカまたはリジェクト部に紙幣が全て送られた後にシャッターがスタッカの開口を開くようになっている。
【先行技術文献】
【特許文献】
【０００５】
【特許文献１】国際公開第２００８／０４４２７８号公報
【特許文献２】国際公開第２００８／０９６４３０号公報
【特許文献３】国際公開第２０１０／０２１０３１号公報
【発明の概要】
【発明が解決しようとする課題】
【０００６】
しかしながら、従来の紙幣処理装置では、紙幣の計数処理が終了するとシャッターによりスタッカの開口が開かれるようになっていたため、操作者はスタッカおよびリジェクト部のどちらかも紙幣を取り出せるようになる。ここで、従来の紙幣処理装置では、リジェクト部からのみ紙幣を取り出せばこの取り出された紙幣の再計数を行うことができるようになっており、一方、スタッカから紙幣を取り出したり、リジェクト部から紙幣を取り出した後にスタッカから紙幣を取り出したりした場合には、スタッカに集積された紙幣について追加の計数工程を行うことができるようになっている。このように、スタッカやリジェクト部からの紙幣の取り出し方によって様々な処理を行うことができるようになっているが、前述のように紙幣の計数処理が終了するとシャッターによりスタッカの開口が開かれる場合には、操作者はスタッカおよびリジェクト部のどちらからも紙幣を取り出せるため、操作者にとって運用が複雑になってしまうという問題がある。
【０００７】
本発明は、このような点を考慮してなされたものであり、紙幣の第１種別（例えば正券またはおもて面の紙幣等）および第２種別（例えば損券または裏面の紙幣等）により紙幣をスタッカ別に仕分けする際に、第２スタッカに例えば金種異常券や搬送異常の紙幣、偽券といった異常券が送られた場合にはシャッターにより第１スタッカの開口を閉止させ続けることにより、操作者は一つのスタッカからしか紙幣を取り出せなくなるため、操作者にとってシンプルな運用を行うことができるようになり、操作者が誤った操作を行ってしまうことを防止することができる紙幣処理装置を提供することを目的とする。
【課題を解決するための手段】
【０００８】
本発明の紙幣処理装置は、紙幣を１枚ずつ機体内部に取り込む受入部と、前記受入部により機体内部に取り込まれた紙幣を１枚ずつ搬送する搬送部と、前記搬送部に設けられ、当該搬送部により搬送される紙幣の識別および計数を行う識別部であって、少なくとも紙幣が第１種別または第２種別であるか否かを識別する識別部と、前記搬送部に接続され、当該搬送部から送られた紙幣を集積する第１スタッカであって、機体の外部から当該第１スタッカにアクセスするための開口が設けられた第１スタッカと、前記搬送部に接続され、当該搬送部から送られた紙幣を集積し、機体の外部からアクセス可能な第２スタッカと、前記第１スタッカに設けられ、当該第１スタッカの開口の開閉を行うシャッターと、前記シャッターの駆動を行うシャッター駆動部と、前記識別部により前記第１種別であると識別された紙幣を前記第１スタッカに送るとともに前記第１種別ではないと識別された紙幣を前記第２スタッカに送るよう前記搬送部を制御する制御部と、を備え、前記制御部は、前記受入部により紙幣を１枚ずつ機体内部に取り込む動作を行う間は前記シャッターにより前記第１スタッカの開口を閉止し、前記受入部により紙幣が全て機体内部に取り込まれた後、前記第２種別以外の紙幣が前記第２スタッカにあれば前記シャッターにより前記第１スタッカの開口を閉止し続け、前記第２種別以外の紙幣が前記第２スタッカになければ前記第１スタッカの開口を前記シャッターが開くよう前記シャッター駆動部の制御を行うことを特徴とする。
【０００９】
このような紙幣処理装置によれば、識別部により第１種別であると識別された紙幣を第１スタッカに送るとともに第１種別ではないと識別された紙幣を第２スタッカに送るようになっている。そして、受入部により紙幣を１枚ずつ機体内部に取り込む動作を行う間はシャッターにより第１スタッカの開口を閉止し、受入部により紙幣が全て機体内部に取り込まれた後、第２種別以外の紙幣が第２スタッカにあれば、シャッターにより第１スタッカの開口を閉止し続けるようになっている。一方、第２種別以外の紙幣が第２スタッカになければ、制御部がシャッター駆動部を制御することにより、シャッターが第１スタッカの開口を開くようになっている。このように、受入部により紙幣が全て機体内部に取り込まれた後、第２種別以外の紙幣が第２スタッカにあればシャッターにより第１スタッカの開口を閉止し続けるので、操作者は第２スタッカからしか紙幣を取り出せなくなる。このことにより、操作者にとってシンプルな運用を行うことができるようになり、操作者が誤った操作を行ってしまうことを防止することができるようになる。
【００１０】
より具体的に説明すると、１回目の紙幣計数工程において受入部により紙幣が全て機体内部に取り込まれた後、もし第２スタッカに送られた紙幣の種別にかかわらず第１スタッカの開口が常に開かれるようになっている場合には、操作者は第１スタッカおよび第２スタッカの両方から紙幣を取り出せるようになる。ここで、２つのスタッカのみが設けられるようなシンプルなタイプの紙幣処理装置では、第２スタッカであるリジェクト部からのみ紙幣を取り出せばこの取り出された紙幣の再計数を行うことができるようになっており、一方、第１スタッカである集積部から紙幣を取り出したり、リジェクト部から紙幣を取り出した後に集積部から紙幣を取り出したりした場合には、集積部に集積された紙幣について２回目の紙幣計数工程を行うことができるようになっている。このように、第１スタッカ（集積部）や第２スタッカ（リジェクト部）からの紙幣の取り出し方によって様々な処理を行うことができるようになっているが、１回目の紙幣計数工程が終了するとシャッターにより第１スタッカの開口が常に開かれる場合には、操作者は第１スタッカ（集積部）や第２スタッカ（リジェクト部）のどちらかも紙幣を取り出せるため、操作者にとって運用が複雑になってしまい、誤った操作を行ってしまう可能性があるという問題がある。これに対し、本発明に係る紙幣処理装置によれば、受入部により紙幣が全て機体内部に取り込まれた後、第２種別以外の紙幣が第２スタッカにあればシャッターにより第１スタッカの開口を閉止し続けるので、操作者は第２スタッカからしか紙幣を取り出せなくなる。このことにより、操作者にとってシンプルな運用を行うことができるようになり、操作者が誤った操作を行ってしまうことを防止することができるようになる。
【００１１】
本発明の紙幣処理装置においては、前記第１種別は正券であり、前記第２種別は損券であってもよい。
【００１２】
あるいは、前記第１種別はおもて面の紙幣であり、前記第２種別は裏面の紙幣であってもよい。
【００１３】
本発明の紙幣処理装置においては、前記受入部により紙幣が全て機体内部に取り込まれた後、前記シャッターにより前記第１スタッカの開口が閉止されている場合に、前記第２スタッカから紙幣が取り除かれ、取り除かれた紙幣が前記受入部に載置されると、前記制御部は、前記受入部により紙幣を１枚ずつ機体内部に取り込ませるよう当該受入部の制御を行うようになっていてもよい。
【００１４】
本発明の紙幣処理装置においては、前記識別部による紙幣の計数結果を表示する表示部と、前記制御部に対して操作者が指令を与えるための操作部と、を更に備え、前記受入部により紙幣が全て機体内部に取り込まれた後、前記シャッターにより前記第１スタッカの開口が開かれている場合に、前記表示部に表示された紙幣の計数結果について前記操作部により確定の指令が前記制御部に与えられると、前記制御部は、前記識別部による紙幣の計数結果を確定するようになっていてもよい。
【００１５】
この際に、前記受入部により紙幣が全て機体内部に取り込まれた後、前記シャッターにより前記第１スタッカの開口が閉止されている場合に、前記操作部により確定の指令が前記制御部に与えられると、前記制御部は、追加の紙幣計数工程を行うことを操作者に指示する旨の表示を前記表示部に表示させるよう当該表示部の制御を行うようになっていてもよい。
【００１６】
また、前記受入部により紙幣が全て機体内部に取り込まれた後、前記シャッターにより前記第１スタッカの開口が閉止されている場合に、前記操作部により追加の紙幣計数工程を行うという指令が前記制御部に与えられると、前記制御部は、前記第１スタッカの開口を前記シャッターが開くよう前記シャッター駆動部の制御を行うようになっていてもよい。
【００１７】
この場合、前記追加の紙幣計数工程を行うという指令が前記制御部に与えられた後、前記受入部に紙幣が載置されると、前記制御部は、前記シャッターにより前記第１スタッカの開口を閉止するよう前記シャッター駆動部の制御を行うようになっていてもよい。
【００１８】
また、前記追加の紙幣計数工程において、前記制御部は、前記識別部により前記第１種別または前記第２種別であると識別された紙幣を前記第１スタッカに送るとともに前記第１種別または前記第２種別のどちらでもないと識別された紙幣を前記第２スタッカに送るよう前記搬送部を制御するようになっていてもよい。
【００１９】
また、前記追加の紙幣計数工程において、前記制御部は、前記受入部により紙幣が全て機体内部に取り込まれた後、前記第２スタッカに紙幣があれば前記シャッターにより前記第１スタッカの開口を閉止し続け、前記第２スタッカに紙幣がなければ前記第１スタッカの開口を前記シャッターが開くよう前記シャッター駆動部の制御を行うようになっていてもよい。
【００２０】
本発明の紙幣処理装置においては、前記受入部により紙幣が全て機体内部に取り込まれた後、前記シャッターにより前記第１スタッカの開口が閉止されている場合に、前記第２スタッカに偽券のみが存在するときには、前記制御部は、前記操作部により確定の指令が前記制御部に与えられると、偽券が前記第２スタッカに存在する旨の表示を前記表示部に表示させるよう当該表示部の制御を行うようになっていてもよい。
【００２１】
また、前記受入部により紙幣が全て機体内部に取り込まれた後、前記シャッターにより前記第１スタッカの開口が閉止されている場合に、前記第２スタッカに偽券のみがあるとき、前記制御部は、前記第２スタッカから紙幣が取り除かれた後、前記操作部により確定の指令が前記制御部に与えられると、前記第１スタッカの開口を前記シャッターが開くよう前記シャッター駆動部の制御を行うとともに前記識別部による紙幣の計数結果を確定するようになっていてもよい。
【発明の効果】
【００２２】
本発明の紙幣処理装置によれば、操作者にとってシンプルな運用を行うことができるようになり、操作者が誤った操作を行ってしまうことを防止することができる。
【図面の簡単な説明】
【００２３】
【図１】本発明の一の実施の形態による紙幣処理装置の外観を示す斜視図である。
【図２】図１に示す紙幣処理装置の内部の概略的な構成を示す概略構成図である。
【図３】図１および図２に示す紙幣処理装置の制御ブロック図である。
【図４】図１等に示す紙幣処理装置の操作表示部の構成を示す図である。
【図５】図１等に示す紙幣処理装置の動作を示すフローチャートである。
【図６】図１等に示す紙幣処理装置の動作を示すフローチャートである。
【図７】図４に示す操作表示部の表示部における表示内容を示す図である。
【図８】変形例において、図４に示す操作表示部の表示部における表示内容を示す図である。
【発明を実施するための形態】
【００２４】
以下、図面を参照して本発明の一の実施の形態について説明する。図１乃至図７は、本実施の形態に係る紙幣処理装置を示す図である。このうち、図１は、本実施の形態による紙幣処理装置の外観を示す斜視図であり、図２は、図１に示す紙幣処理装置の内部の概略的な構成を示す概略構成図である。また、図３は、図１および図２に示す紙幣処理装置の制御ブロック図であり、図４は、図１等に示す紙幣処理装置の操作表示部の構成を示す図である。また、図５および図６は、図１等に示す紙幣処理装置の動作を示すフローチャートであり、図７は、図４に示す操作表示部の表示部における表示内容を示す図である。
【００２５】
図１および図２に示すように、紙幣処理装置１０は、筐体１２と、計数が行われるべき複数の紙幣が積層状態で載置される載置部（ホッパ）１４と、載置部１４に載置された複数の紙幣のうち最下層にある紙幣を筐体１２の内部に１枚ずつ繰り出すための繰出部１６と、筐体１２の内部に設けられ、繰出部１６により筐体１２の内部に繰り出された紙幣を１枚ずつ搬送する搬送部１８と、を備えている。また、搬送部１８には、繰出部１６により筐体１２の内部に繰り出された紙幣の識別および計数を行うための識別計数部２０が設けられている。
【００２６】
繰出部１６は、載置部１４に積層状態で載置された複数の紙幣のうち最下層にある一の紙幣の表面に当接するキッカローラ１６ａと、紙幣の繰出方向においてキッカローラ１６ａの下流側に配置され当該キッカローラ１６ａにより蹴り出された紙幣について筐体１２の内部への繰り出しを行うフィードローラ１６ｂとを有している。また、フィードローラ１６ｂに対向して逆転ローラ１６ｃ（ゲートローラ）が設けられており、フィードローラ１６ｂと逆転ローラ１６ｃとの間にゲート部Ｇが形成されている。キッカローラ１６ａにより蹴り出された紙幣はゲート部Ｇを通過して１枚ずつ筐体１２内の搬送部１８に繰り出されるようになっている。また、筐体１２の内部には、繰出部１６の駆動を行う繰出部駆動機構１７（図３参照）が設けられている。
【００２７】
また、図２に示すように、載置部１４には紙幣有無センサ１５が設けられている。この紙幣有無センサ１５は載置部１４における紙幣の有無を検出するようになっている。具体的には、紙幣有無センサ１５は発光部と受光部が一体構成された反射型の光センサであり、載置部１４に紙幣が存在する場合には、発光部から発せられた光が紙幣に反射して受光部に光が届き、紙幣が存在しない場合には反射することなく光が受光部に届かないようになり、このことにより紙幣有無センサ１５は載置部１４に紙幣が存在するか否かを検出する。
【００２８】
なお、本実施の形態の紙幣処理装置１０では、載置部１４、紙幣有無センサ１５および繰出部１６により、複数枚の紙幣を受け入れて１枚ずつ紙幣を機体内部に取り込む受入部が構成されている。
【００２９】
搬送部１８は、複数の搬送ローラに張架された搬送ベルトおよびローラが複数組み合わせられたものから構成されており、これらの搬送ベルトとローラの間に紙幣が挟まれた状態で搬送ベルトが循環移動を行うことにより紙幣が搬送路に沿って搬送されるようになっている。また、筐体１２の内部には、搬送部１８の駆動を行う搬送部駆動機構１９（図３参照）が設けられている。
【００３０】
また、前述のように、搬送部１８には、繰出部１６により筐体１２の内部に繰り出された紙幣の識別および計数を行うための識別計数部２０が設けられている。図２に示すように、識別計数部２０は、ラインセンサ２０ａ、厚み検出センサ２０ｂおよび磁気センサ２０ｃを有している。ラインセンサ２０ａは、紙幣の搬送路を挟むよう設けられた発光部および受光部を有しており、発光部から発せられた光（例えば、赤外光）が受光部により受けられるようになっている。ここで、ラインセンサ２０ａに紙幣が送られた場合には、発光部から発せられた光が紙幣を透過して受光部まで到達するようになっており、受光部で受けられた光のデータに基づいて検出値が算出されるようになっている。また、厚み検出センサ２０ｂは、この厚み検出センサ２０ｂを通過する紙幣の厚みを検出するようになっており、検出された紙幣の厚みに基づいて、紙幣に札折れ部分があるか、２枚以上の紙幣の重送が行われたか、あるいは紙幣のある部分にテープ等が貼られているか等を検出することができるようになっている。また、磁気センサ２０ｃは、この磁気センサ２０ｃを通過する紙幣のインク等に含まれる磁気成分から発せられる磁気を検出するようになっており、このことにより磁気センサ２０ｃにおいて紙幣の磁性に関する検出値が算出されるようになっている。識別計数部２０は、ラインセンサ２０ａ、厚み検出センサ２０ｂおよび磁気センサ２０ｃによるそれぞれの検出結果に基づいて、紙幣の真偽、正損、金種等の識別や、紙幣の搬送異常が発生しているか否か等の識別を行うとともに、紙幣の計数を行うようになっている。
【００３１】
図２に示すように、識別計数部２０よりも下流側の箇所において搬送部１８は２つの搬送路に分岐しており、一方の搬送路の下流側端部には集積部３０が接続されており、他方の搬送路の下流側端部にはリジェクト部４０が接続されている。識別計数部２０により識別および計数が行われた紙幣は、集積部３０またはリジェクト部４０に選択的に送られるようになっている。集積部３０の前面（図２における左側の面）には開口が設けられており、操作者はこの開口を介して集積部３０に集積された紙幣を取り出すことができるようになっている。また、リジェクト部４０の前面にも開口が設けられており、操作者はこの開口を介してリジェクト部４０に集積された紙幣を取り出すことができるようになっている。
【００３２】
図２に示すように、搬送部１８における２つの搬送路に分岐する箇所には、分岐部材とその駆動部（図示せず）とからなる分岐部２２が設けられており、この分岐部２２により、当該分岐部２２の上流側から送られた紙幣が、分岐した２つの搬送路のうちいずれか一方の搬送路に選択的に送られるようになっている。
【００３３】
集積部３０において、筐体１２の背面側の位置（図２の集積部３０における右側の位置）には羽根車式集積機構３２が設けられている。この羽根車式集積機構３２は、羽根車３２ａとその駆動部（図示せず）とからなり、羽根車３２ａは、図２の紙面に対して直交する、略水平方向に延びる軸を中心として図２における反時計回りの方向（図２における矢印方向）に回転するようになっている。羽根車３２ａには、外周面から回転方向とは逆方向（図２における時計回りの方向）の外方に延びる複数の羽根３２ｂが設けられている。これらの羽根３２ｂは、図２に示すように羽根車３２ａの外周面において等間隔に設けられている。
【００３４】
羽根車式集積機構３２の羽根車３２ａは、紙幣処理装置１０の動作中、駆動部により常に図２における反時計回りの方向に回転させられるようになっており、この羽根車３２ａには、搬送部１８から紙幣が１枚ずつ送られるようになっている。そして、羽根車３２ａは、搬送部１８から送られた紙幣を２枚の羽根３２ｂの間に受け止めてこの羽根３２ｂ間に受け止められた紙幣を集積部３０に送るようになっている。このようにして、集積部３０には羽根車３２ａから紙幣が１枚ずつ送られ、この集積部３０において複数の紙幣が整列された状態で集積される。
【００３５】
図１および図２に示すように、紙幣処理装置１０には、集積部３０の前面に設けられた開口を閉止するためのシャッター３４が設けられており、このシャッター３４により集積部３０の前面の開口が選択的に閉止されるようになっている。また、筐体１２の内部には、シャッター３４の駆動を行うシャッター駆動機構３５（図３参照）が設けられている。シャッター３４は、シャッター駆動機構３５により、集積部３０の下方に退避して当該集積部３０の開口を開く開口位置（図２における点線参照）と、集積部３０の前面の開口を閉止する閉止位置（図２における実線参照）との間で移動させられるようになっている。すなわち、シャッター３４が図２の点線に示すような開口位置にあるときには、操作者は集積部３０に集積された紙幣にアクセスすることができるようになる。一方、シャッター３４が図２の実線に示すような閉止位置にあるときには、集積部３０の前面の開口はシャッター３４により閉止され、操作者は集積部３０に集積された紙幣にアクセスすることができなくなる。
【００３６】
また、集積部３０には紙幣有無センサ３６が設けられている。この紙幣有無センサ３６は、集積部３０における紙幣の有無を検出するようになっている。具体的には、紙幣有無センサ３６は発光部と受光部とを有しており、集積部３０に紙幣が集積されていない場合には発光部から発せられた光が受光部により受けられるようになっている。一方、集積部３０に紙幣が存在する場合には、発光部から発せられた光がこの紙幣により遮られて受光部に光が届かないようになり、このことにより紙幣有無センサ３６は集積部３０に紙幣が集積されていることを検出する。
【００３７】
一方、リジェクト部４０には、このリジェクト部４０の前面の開口を閉止するシャッターは設けられていない。図１および図２に示すように、リジェクト部４０には左右一対の紙幣整列部材４２が設けられており、各紙幣整列部材４２は図２に示す位置から操作者が手動で筐体１２の前方に（すなわち、図２における左方に）倒すことができるようになっている。このため、搬送部１８からリジェクト部４０に送られた紙幣は各紙幣整列部材４２により整列された状態でリジェクト部４０に集積されるようになる。また、各紙幣整列部材４２を筐体１２の前面に倒すことにより、操作者はリジェクト部４０から紙幣を取り出すことができるようになる。
【００３８】
また、リジェクト部４０には紙幣有無センサ４４が設けられている。この紙幣有無センサ４４は、リジェクト部４０における紙幣の有無を検出するようになっている。具体的には、紙幣有無センサ４４は発光部と受光部とを有しており、リジェクト部４０に紙幣が集積されていない場合には発光部から発せられた光が受光部により受けられるようになっている。一方、リジェクト部４０に紙幣が存在する場合には、発光部から発せられた光がこの紙幣により遮られて受光部に光が届かないようになり、このことにより紙幣有無センサ４４はリジェクト部４０に紙幣が集積されていることを検出する。
【００３９】
また、図１に示すように、筐体１２の前面には操作表示部６２が設けられている。この操作表示部６２は、例えばＬＣＤ等からなる表示部６２ａと、複数の操作キー６２ｂとを有している。表示部６２ａには、紙幣処理装置１０による紙幣の処理状況、より具体的には例えば識別計数部２０により計数された紙幣の金種毎の枚数や合計金額等の情報が表示されるようになっている。また、操作者が操作キー６２ｂを押下することにより後述する制御部６０に対して様々な指令を与えることができるようになっている。
【００４０】
図２に示すように、筐体１２の内部には、紙幣処理装置１０の各構成要素を制御するための制御部６０が設けられている。このような制御部６０の構成の詳細について図３を用いて説明する。図３に示すように、制御部６０には、繰出部１６の駆動を行う繰出部駆動機構１７、搬送部１８の駆動を行う搬送部駆動機構１９、識別計数部２０、分岐部２２、羽根車式集積機構３２、シャッター３４の駆動を行うシャッター駆動機構３５、紙幣有無センサ１５、３６、４４、操作表示部６２等がそれぞれ接続されている。そして、識別計数部２０による紙幣の識別結果や計数結果が制御部６０に送られるとともに、制御部６０は繰出部駆動機構１７、搬送部駆動機構１９、分岐部２２、羽根車式集積機構３２、シャッター駆動機構３５、操作表示部６２等に指令信号を送りこれらの構成要素の制御を行うようになっている。また、制御部６０には、紙幣有無センサ１５、３６、４４による検出結果がこれらのセンサから送られるようになっている。
【００４１】
また、図３に示すように、制御部６０には記憶部６４が接続されている。この記憶部６４には、例えば、紙幣処理装置１０による紙幣の処理状況、より具体的には例えば識別計数部２０により計数された紙幣の金種毎の枚数や合計金額等の情報が記憶されるようになっている。
【００４２】
次に、このような構成からなる紙幣処理装置１０の基本的な動作について説明する。なお、以下に示す紙幣処理装置１０の動作は、制御部６０が紙幣処理装置１０の各構成要素を制御することにより行われる。
【００４３】
最初に、操作者は、計数が行われるべき紙幣を載置部１４に積層状態で載置する。その後、操作者が操作表示部６２の操作キー６２ｂ（具体的には、「ＳＴＡＲＴ／ＳＴＯＰ」キー）を押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される。繰出部１６により筐体１２内の搬送部１８に繰り出された紙幣は、当該搬送部１８により搬送される。
【００４４】
そして、搬送部１８により搬送される紙幣は識別計数部２０により識別および計数が行われ、識別計数部２０による紙幣の識別結果が制御部６０に送られる。制御部６０に送られた紙幣の識別結果において、この紙幣が予め処理対象として設定された所定の紙幣である場合には、当該紙幣は搬送部１８により更に搬送されて分岐部２２により集積部３０に送られる。この際に、搬送部１８から羽根車式集積機構３２の羽根車３２ａに紙幣が１枚ずつ送られ、この羽根車３２ａは、搬送部１８から送られた紙幣を２枚の羽根３２ｂの間に受け止めてこの羽根３２ｂ間に受け止められた紙幣を集積部３０に送る。このようにして、羽根車式集積機構３２により集積部３０に紙幣を整列された状態で集積させることができる。一方、制御部６０に送られた紙幣の識別結果において、この紙幣が集積部３０に集積すべきでない紙幣である場合には、当該紙幣は搬送部１８により更に搬送されて分岐部２２によりリジェクト部４０に送られる。リジェクト部４０に紙幣が存在することが紙幣有無センサ４４により検出されると、操作表示部６２に設けられたリジェクトランプ６２ｃ（図４参照）が点灯するようになっている。
【００４５】
なお、上述のような紙幣処理装置１０による紙幣の計数処理が行われている間は、図２の実線に示すように集積部３０の前面の開口はシャッター３４により閉じられている。また、リジェクト部４０の前面の開口は常に開かれた状態にあるので、操作者は各紙幣整列部材４２を筐体１２の前面に倒すことによりリジェクト部４０から紙幣を取り出すことができるようになる。
【００４６】
次に、本実施の形態の紙幣処理装置１０における紙幣の計数方法について、図５および図６に示すフローチャートを参照して具体的に説明する。以下に示す紙幣の計数方法は、単一の金種の紙幣が集積部３０に集積されるような単一金種の正損分類モード（ＤＤモードも含む）に関するものである。このような単一金種の正損分類モードでは、概して同一の金種の複数の紙幣が紙幣処理装置１０により計数されるようになっている。
【００４７】
図４に示すような操作表示部６２の表示部６２ａの表示画面（初期画面）および各々の操作キー６２ｂにおいて、操作者がＤＤキーを押下すると、制御部６０においてＤＤモードが設定される。次に、操作者は、計数が行われるべき紙幣を載置部１４に積層状態で載置した後、操作表示部６２の操作キー６２ｂ（具体的には、例えばＳＴＡＲＴ／ＳＴＯＰキー）を押下することにより、紙幣の計数の開始の指令を制御部６０に与えると、シャッター３４が図２の実線に示すような閉止位置に移動し、集積部３０の開口がシャッター３４により閉止される（ＳＴＥＰ１）。そして、集積部３０の開口がシャッター３４により閉止された後、載置部１４に積層状態で載置された紙幣は、最下層にある紙幣から順に１枚ずつ繰出部１６により筐体１２内の搬送部１８に繰り出される（ＳＴＥＰ２）。繰出部１６により筐体１２内の搬送部１８に繰り出された紙幣は、当該搬送部１８により搬送され、識別計数部２０により、紙幣の識別および計数が行われ（ＳＴＥＰ３）、紙幣の識別結果および計数結果が制御部６０に送られる。
【００４８】
識別計数部２０により識別された紙幣が偽券である場合には（ＳＴＥＰ４の「ＹＥＳ」）、この紙幣は搬送部１８により更に搬送されて分岐部２２によりリジェクト部４０に送られる（ＳＴＥＰ９）。また、識別計数部２０により識別された紙幣が搬送異常券である場合には（ＳＴＥＰ５の「ＹＥＳ」）、この紙幣は搬送部１８により更に搬送されて分岐部２２によりリジェクト部４０に送られる（ＳＴＥＰ９）。また、識別計数部２０により識別された紙幣が金種異常券である場合には（ＳＴＥＰ６の「ＹＥＳ」）、この紙幣は搬送部１８により更に搬送されて分岐部２２によりリジェクト部４０に送られる（ＳＴＥＰ９）。
【００４９】
ここで、金種異常券について以下に詳しく説明する。識別計数部２０により識別された紙幣が、載置部１４に載置された複数の紙幣のうち最初に筐体１２内に繰り出されて識別計数部２０により最初に識別された紙幣である場合には、この１枚目の紙幣の金種を所定の金種に設定する。すなわち、例えば最初に識別計数部２０により識別が行われた紙幣の金種が１０ユーロ紙幣である場合には、１０ユーロが所定の金種として設定される。そして、識別計数部２０において、前述の１枚目の紙幣の金種である所定の金種ではないと判断された紙幣（具体的には、１０ユーロ以外の金種の紙幣）は金種異常券と判断され、この紙幣は搬送部１８により更に搬送されて分岐部２２によりリジェクト部４０に送られるようになる。
【００５０】
また、識別計数部２０により識別された紙幣が正券である場合には（ＳＴＥＰ７の「ＹＥＳ」）、この紙幣は搬送部１８により更に搬送されて分岐部２２により集積部３０に送られる（ＳＴＥＰ８）。一方、識別計数部２０により識別された紙幣が損券である場合には（ＳＴＥＰ７の「ＮＯ」）、この紙幣は搬送部１８により更に搬送されて分岐部２２によりリジェクト部４０に送られる（ＳＴＥＰ９）。
【００５１】
そして、載置部１４に載置された紙幣が全て集積部３０またはリジェクト部４０に送られると（ＳＴＥＰ１０の「ＹＥＳ」）、リジェクト部４０に紙幣が存在するか否かが紙幣有無センサ４４により検出される。そして、リジェクト部４０に紙幣が存在しない場合には（ＳＴＥＰ１１の「ＮＯ」）、シャッター３４が図２の点線で示すような開口位置に移動し、集積部３０の開口が開かれる（ＳＴＥＰ１２）。このことにより、操作者は集積部３０から紙幣を取り出すことができるようになる。また、載置部１４に載置された紙幣が全て集積部３０またはリジェクト部４０に送られた後、リジェクト部４０に紙幣が存在しない場合には、操作表示部６２の表示部６２ａにおける表示内容は例えば図７（ａ）に示すようなものとなる。すなわち、リジェクト部４０に紙幣が存在しない場合には、特定金種の真券かつ正券（図７（ａ）において「ＦＩＴ」で表示）のみの計数結果が表示部６２ａに表示され、損券（図７（ａ）において「ＵＮＦＩＴ」で表示）は計数されていないので表示部６２ａにおいて損券の計数結果は表示されない。そして、操作者により、操作表示部６２の操作キー６２ｂにおける確定（ＡＣＣＥＰＴ）キーが押下されると（ＳＴＥＰ１３の「ＹＥＳ」）、制御部６０において、表示部６２ａに表示された紙幣の計数結果が確定され、紙幣の計数処理が終了する。
【００５２】
一方、リジェクト部４０に紙幣が存在することが紙幣有無センサ４４により検出された場合には（ＳＴＥＰ１１の「ＹＥＳ」）、制御部６０においてリジェクト部４０に異常券が存在するか否かが判断される。ここで、異常券とは、リジェクト部４０に送られた紙幣のうち特定金種の真券かつ損券以外の紙幣、具体的には偽券、搬送異常券および金種異常券のことをいう。そして、リジェクト部４０に存在する紙幣に異常券が含まれない場合には（ＳＴＥＰ１４の「ＮＯ」）、すなわちリジェクト部４０に送られた紙幣が全て特定金種の真券かつ損券である場合には、シャッター３４が図２の点線で示すような開口位置に移動し、集積部３０の開口が開かれる（ＳＴＥＰ１２）。このことにより、操作者は集積部３０から紙幣を取り出すことができるようになる。また、リジェクト部４０に存在する紙幣に異常券が含まれない場合には、操作表示部６２の表示部６２ａにおける表示内容は例えば図７（ｂ）に示すようなものとなる。具体的には、表示部６２ａには、正券（図７（ｂ）において「ＦＩＴ」で表示）および損券（図７（ｂ）において「ＵＮＦＩＴ」で表示）の計数結果がそれぞれ表示される。そして、操作者により、操作表示部６２の操作キー６２ｂにおける確定キーが押下されると（ＳＴＥＰ１３の「ＹＥＳ」）、制御部６０において、表示部６２ａに表示された紙幣の計数結果が確定され、紙幣の計数処理が終了する。
【００５３】
また、リジェクト部４０に存在する紙幣に異常券が含まれる場合には（ＳＴＥＰ１４の「ＹＥＳ」）、具体的にはリジェクト部４０に偽券、搬送異常券または金種異常券が送られた場合には、シャッター３４は図２の実線に示すような閉止位置にとどまったままとなり、集積部３０の開口が開かれることはない。この際に、リジェクト部４０に特定金種の真券かつ損券が存在している場合には、操作表示部６２の表示部６２ａにおける表示内容は例えば図７（ｃ）に示すようなものとなる。具体的には、正券（図７（ｃ）において「ＦＩＴ」で表示）および損券（図７（ｃ）において「ＵＮＦＩＴ」で表示）の計数結果がそれぞれ表示部６２ａに表示される。一方、リジェクト部４０に特定金種の真券かつ損券が存在しない場合には、正券の計数結果のみが表示部６２ａに表示され、損券の計数結果は表示部６２ａには表示されないようになる。
【００５４】
そして、操作者により、操作表示部６２の操作キー６２ｂにおける確定キーが押下されると（ＳＴＥＰ１５の「ＹＥＳ」）、操作表示部６２の表示部６２ａにおける表示内容が図７（ｄ）に示すようなものとなる。具体的には、表示部６２ａには、「２回目の紙幣計数工程を行うために集積部３０から紙幣を取り出す」ことを操作者に指示する旨の表示が表示されるようになる（ＳＴＥＰ２１）。一方、操作者が確定キーを押下せずに、代わりにリジェクト部４０から紙幣を取り出して載置部１４に積層状態で再セットすると（ＳＴＥＰ１６の「ＹＥＳ」）、リジェクト部４０に集積された紙幣について再計数が行われるようになる。すなわち、リジェクト部４０に集積された紙幣について、ＳＴＥＰ２〜ＳＴＥＰ１０に示すような処理が再び行われるようになる。
【００５５】
図７（ｄ）に示すような表示内容が操作表示部６２の表示部６２ａに表示されているときに、操作者が２回目の紙幣計数工程を行うという指令を操作キー６２ｂにより制御部６０に与えた場合には（ＳＴＥＰ２２の「ＹＥＳ」）、シャッター３４が図２の点線で示すような開口位置に移動し、集積部３０の開口が開かれる（ＳＴＥＰ２３）。具体的には、図７（ｄ）に示すような表示内容が操作表示部６２の表示部６２ａに表示されているときに、操作者が操作表示部６２の操作キー６２ｂにおける確定キーを押下すると、２回目の紙幣計数工程を行うという指令が制御部６０に与えられるようになる。そして、シャッター３４が図２の点線で示すような開口位置に移動し、集積部３０の開口が開かれると、操作者は集積部３０から紙幣を取り出すようになる（ＳＴＥＰ２４）。また、２回目の紙幣計数工程を行うにあたり、操作者は、リジェクト部４０から紙幣を取り出し、取り出された紙幣を載置部１４に積層状態で再セットする（ＳＴＥＰ２５）。なお、リジェクト部４０に特定金種の真券かつ損券が存在している場合において操作者がリジェクト部４０から紙幣を取り出すと、図７（ｅ）に示すように、操作表示部６２の表示部６２ａにおける損券（図７（ｅ）において「ＵＮＦＩＴ」で表示）の計数結果がリセットされて０となる。
【００５６】
紙幣が載置部１４に積層状態で再セットされた後、操作者が、操作表示部６２の操作キー６２ｂ（具体的には、ＳＴＡＲＴ／ＳＴＯＰキー）を押下することにより、紙幣の計数の開始の指令を制御部６０に与えると、シャッター３４が図２の実線に示すような閉止位置に移動し、集積部３０の開口がシャッター３４により閉止される（ＳＴＥＰ２６）。そして、集積部３０の開口がシャッター３４により閉止された後、載置部１４に積層状態で載置された紙幣は、最下層にある紙幣から順に１枚ずつ繰出部１６により筐体１２内の搬送部１８に繰り出される（ＳＴＥＰ２７）。繰出部１６により筐体１２内の搬送部１８に繰り出された紙幣は、当該搬送部１８により搬送され、識別計数部２０により、紙幣の識別および計数が行われ（ＳＴＥＰ２８）、紙幣の識別結果および計数結果が制御部６０に送られる。
【００５７】
識別計数部２０により識別された紙幣が偽券である場合には（ＳＴＥＰ２９の「ＹＥＳ」）、この紙幣は搬送部１８により更に搬送されて分岐部２２によりリジェクト部４０に送られる（ＳＴＥＰ３５）。また、識別計数部２０により識別された紙幣が搬送異常券である場合には（ＳＴＥＰ３０の「ＹＥＳ」）、この紙幣は搬送部１８により更に搬送されて分岐部２２によりリジェクト部４０に送られる（ＳＴＥＰ３５）。また、識別計数部２０により識別された紙幣が金種異常券である場合には（ＳＴＥＰ３１の「ＹＥＳ」）、この紙幣は搬送部１８により更に搬送されて分岐部２２によりリジェクト部４０に送られる（ＳＴＥＰ３５）。
【００５８】
また、識別計数部２０により識別された紙幣が正券である場合には（ＳＴＥＰ３２の「ＹＥＳ」）、この紙幣は搬送部１８により更に搬送されて分岐部２２により集積部３０に送られる（ＳＴＥＰ３３）。また、識別計数部２０により識別された紙幣が損券である場合でも（ＳＴＥＰ３２の「ＮＯ」）、この紙幣は搬送部１８により更に搬送されて分岐部２２により集積部３０に送られる（ＳＴＥＰ３４）。
【００５９】
そして、載置部１４に載置された紙幣が全て集積部３０またはリジェクト部４０に送られると（ＳＴＥＰ３６の「ＹＥＳ」）、リジェクト部４０に紙幣が存在するか否かが紙幣有無センサ４４により検出される。そして、リジェクト部４０に紙幣が存在しない場合には（ＳＴＥＰ３７の「ＮＯ」）、シャッター３４が図２の点線で示すような開口位置に移動し、集積部３０の開口が開かれる（ＳＴＥＰ３８）。このことにより、操作者は集積部３０から紙幣を取り出すことができるようになる。また、載置部１４に載置された紙幣が全て集積部３０またはリジェクト部４０に送られた後、リジェクト部４０に紙幣が存在しない場合には、操作表示部６２の表示部６２ａにおける表示内容は例えば図７（ｆ）に示すようなものとなる。具体的には、２回目の紙幣計数工程において特定金種の真券かつ損券が集積部３０に送られた場合には、１回目の紙幣計数工程で計数された正券（図７（ｆ）において「ＦＩＴ」で表示）の計数結果および２回目の紙幣計数工程で計数された損券（図７（ｆ）において「ＵＮＦＩＴ」で表示）の計数結果がそれぞれ表示部６２ａに表示される。そして、操作者により、操作表示部６２の操作キー６２ｂにおける確定キーが押下されると（ＳＴＥＰ３９の「ＹＥＳ」）、制御部６０において、表示部６２ａに表示された紙幣の計数結果が確定され、紙幣の計数処理が終了する。
【００６０】
一方、リジェクト部４０に紙幣が存在する場合には（ＳＴＥＰ３７の「ＹＥＳ」）、操作者はリジェクト部４０から紙幣を取り出す（ＳＴＥＰ４０）。この場合に、２回目の紙幣計数工程において特定金種の真券かつ損券が集積部３０に送られた場合には、操作表示部６２の表示部６２ａにおける表示内容は例えば図７（ｆ）に示すようなものとなる。そして、操作者により、操作表示部６２の操作キー６２ｂにおける確定キーが押下されると（ＳＴＥＰ４１の「ＹＥＳ」）、シャッター３４が図２の点線で示すような開口位置に移動し、集積部３０の開口が開かれる（ＳＴＥＰ４２）。このことにより、操作者は集積部３０から紙幣を取り出すことができるようになる。また、リジェクト部４０に送られた紙幣の情報については、操作者が手動で操作表示部６２の操作キー６２ｂにより制御部６０に対して入力を行う。そして、操作者が集積部３０から紙幣を取り出すと、紙幣の計数処理が終了する。
【００６１】
なお、操作者が確定キーを押下せずに、代わりにリジェクト部４０から紙幣を取り出して載置部１４に積層状態で再セットすると（ＳＴＥＰ４３の「ＹＥＳ」）、リジェクト部４０に集積された紙幣について再計数が行われるようになる。すなわち、リジェクト部４０に集積された紙幣について、ＳＴＥＰ２７〜ＳＴＥＰ３６に示すような処理が再び行われるようになる。
【００６２】
以上のように本実施の形態の紙幣処理装置１０によれば、１回目の紙幣計数工程において、識別計数部２０により特定金種の真券かつ正券であると識別された紙幣を集積部３０に送るとともに、特定金種の真券かつ正券ではないと識別された紙幣をリジェクト部４０に送るようになっている（ＳＴＥＰ４〜ＳＴＥＰ９）。そして、載置部１４、紙幣有無センサ１５および繰出部１６からなる受入部により紙幣を１枚ずつ筐体１２の内部に取り込む動作を行う間はシャッター３４により集積部３０の開口を閉止し（ＳＴＥＰ１）、受入部により紙幣が全て筐体１２の内部に取り込まれた後、特定金種の真券かつ損券以外の異常券（例えば、偽券、搬送異常券、金種異常券）がリジェクト部４０にあれば（ＳＴＥＰ１４の「ＹＥＳ」）、シャッター３４により集積部３０の開口を閉止し続けるようになっている。一方、特定金種の真券かつ損券以外の異常券がリジェクト部４０になければ（ＳＴＥＰ１１の「ＮＯ」およびＳＴＥＰ１４の「ＮＯ」）、制御部６０がシャッター駆動機構３５を制御することにより、シャッター３４が開口位置に移動して集積部３０の開口が開かれるようになっている（ＳＴＥＰ１２）。このように、受入部により紙幣が全て筐体１２の内部に取り込まれた後、特定金種の真券かつ損券以外の異常券がリジェクト部４０にあればシャッター３４により集積部３０の開口を閉止し続けるので、操作者はリジェクト部４０からしか紙幣を取り出せなくなる。このことにより、操作者にとってシンプルな運用を行うことができるようになり、操作者が誤った操作を行ってしまうことを防止することができるようになる。
【００６３】
より具体的に説明すると、１回目の紙幣計数工程において受入部により紙幣が全て筐体１２の内部に取り込まれた後、もしリジェクト部４０に送られた紙幣の種別にかかわらず集積部３０の開口が常に開かれるようになっている場合には、操作者は集積部３０およびリジェクト部４０の両方から紙幣を取り出せるようになる。ここで、１つの集積部３０および１つのリジェクト部４０からなるシンプルなタイプの紙幣処理装置では、リジェクト部４０からのみ紙幣を取り出せばこの取り出された紙幣の再計数を行うことができるようになっており、集積部３０から紙幣を取り出したり、リジェクト部４０から紙幣を取り出した後に集積部３０から紙幣を取り出したりした場合には、集積部３０に集積された紙幣について２回目の紙幣計数工程を行うことができるようになっている。このように、集積部３０やリジェクト部４０からの紙幣の取り出し方によって様々な処理を行うことができるようになっているが、１回目の紙幣計数工程が終了するとシャッター３４により集積部３０の開口が常に開かれる場合には、操作者は集積部３０およびリジェクト部４０のどちらかも紙幣を取り出せるため、操作者にとって運用が複雑になってしまい、誤った操作を行ってしまう可能性があるという問題がある。これに対し、本実施の形態の紙幣処理装置１０によれば、受入部により紙幣が全て筐体１２の内部に取り込まれた後、特定金種の真券かつ損券以外の異常券がリジェクト部４０にあればシャッター３４により集積部３０の開口を閉止し続けるので、操作者はリジェクト部４０からしか紙幣を取り出せなくなる。このことにより、操作者にとってシンプルな運用を行うことができるようになり、操作者が誤った操作を行ってしまうことを防止することができるようになる。
【００６４】
また、本実施の形態の紙幣処理装置１０においては、受入部により紙幣が全て筐体１２の内部に取り込まれた後、シャッター３４により集積部３０の開口が閉止されている場合に、リジェクト部４０から紙幣が取り除かれ、この取り除かれた紙幣が載置部１４に再セットされると（ＳＴＥＰ１６の「ＹＥＳ」）、受入部により紙幣を１枚ずつ筐体１２の内部に取り込ませるようになっている（ＳＴＥＰ２〜ＳＴＥＰ１０）。
【００６５】
また、本実施の形態の紙幣処理装置１０においては、受入部により紙幣が全て筐体１２の内部に取り込まれた後、シャッター３４により集積部３０の開口が開かれている場合に（ＳＴＥＰ１２）、操作表示部６２の表示部６２ａに表示された紙幣の計数結果について操作キー６２ｂにより確定の指令が制御部６０に与えられると、制御部６０は、識別計数部２０による紙幣の計数結果を確定するようになっている（ＳＴＥＰ１３の「ＹＥＳ」）。
【００６６】
また、本実施の形態の紙幣処理装置１０においては、受入部により紙幣が全て筐体１２の内部に取り込まれた後、シャッター３４により集積部３０の開口が閉止されている場合に、操作表示部６２の操作キー６２ｂにより確定の指令が制御部６０に与えられると（ＳＴＥＰ１５の「ＹＥＳ」）、制御部６０は、２回目の紙幣計数工程を行うことを操作者に指示する旨の表示を操作表示部６２の表示部６２ａに表示させるよう制御を行う（ＳＴＥＰ２１および図７（ｄ））。
【００６７】
また、受入部により紙幣が全て筐体１２の内部に取り込まれた後、シャッター３４により集積部３０の開口が閉止されている場合に、操作表示部６２の操作キー６２ｂにより２回目の紙幣計数工程を行うという指令が制御部６０に与えられると（ＳＴＥＰ２２の「ＹＥＳ」）、制御部６０は、集積部３０の開口をシャッター３４が開くようシャッター駆動機構３５の制御を行う。
【００６８】
そして、２回目の紙幣計数工程を行うという指令が制御部６０に与えられた後、載置部１４に紙幣が載置されると（ＳＴＥＰ２５）、制御部６０は、シャッター３４により集積部３０の開口を閉止するようシャッター駆動機構３５の制御を行うようになる（ＳＴＥＰ２６）。
【００６９】
また、２回目の紙幣計数工程において、識別計数部２０により正券および損券は共に集積部３０に送られるとともに、それ以外の異常券（損券、搬送異常券、金種異常券）はリジェクト部４０に送られるようになっている（ＳＴＥＰ２９〜ＳＴＥＰ３５）。
【００７０】
また、２回目の紙幣計数工程において、受入部により紙幣が全て筐体１２の内部に取り込まれた後、リジェクト部４０に紙幣があれば（ＳＴＥＰ３７の「ＹＥＳ」）、シャッター３４により集積部３０の開口を閉止し続けるようになっている。一方、２回目の紙幣計数工程において、受入部により紙幣が全て筐体１２の内部に取り込まれた後、リジェクト部４０に紙幣がなければ（ＳＴＥＰ３７の「ＮＯ」）、制御部６０はシャッター駆動機構３５を制御して集積部３０の開口をシャッター３４が開くようにする（ＳＴＥＰ３８）。
【００７１】
なお、本実施の形態の紙幣処理装置１０は、上記の態様に限定されるものではなく、様々の変更を加えることができる。
【００７２】
例えば、１回目の紙幣計数工程において、受入部により紙幣が全て筐体１２の内部に取り込まれた後、シャッター３４により集積部３０の開口が閉止されている場合に、リジェクト部４０に偽券のみが存在するときには、操作者が操作表示部６２の操作キー６２ｂにおける確定（ＡＣＣＥＰＴ）キーを押下すると、操作表示部６２の表示部６２ａには、図７（ｇ）に示すように、リジェクト部４０に偽券が存在する旨の表示が行われるようになっていてもよい。このことにより、操作者はリジェクト部４０に偽券のみが存在することを認識することができるようになる。その後、操作者はリジェクト部４０から紙幣を取り出し、この紙幣を載置部１４に再セットして筐体１２内に再び取り込ませるか、あるいはリジェクト部４０から取り出した紙幣に係る情報を操作表示部６２の操作キー６２ｂにより制御部６０に直接入力するようになる。
【００７３】
また、他の変形例として、１回目の紙幣計数工程において、受入部により紙幣が全て筐体１２の内部に取り込まれた後、シャッター３４により集積部３０の開口が閉止されている場合に、リジェクト部４０に偽券のみが存在するときにおいて、リジェクト部４０からこの偽券が取り出された後、操作者が操作表示部６２の操作キー６２ｂにおける確定（ＡＣＣＥＰＴ）キーを押下すると、制御部６０がシャッター駆動機構３５を制御して集積部３０の開口をシャッター３４が開くようになっていてもよい。この場合には、集積部３０に送られた紙幣について、識別計数部２０による紙幣の計数結果が確定されるようになる。
【００７４】
また、更に他の変形例として、１回目の紙幣計数工程において、識別計数部２０により第１種別であると識別された紙幣を集積部３０に送るとともに第１種別ではないと識別された紙幣をリジェクト部４０に送るようになっていてもよい。この場合、１回目の紙幣計数工程において受入部により紙幣が全て筐体１２の内部に取り込まれた後、第２種別以外の紙幣がリジェクト部４０にあればシャッター３４により集積部３０の開口を閉止し続けるようになる。ここで、図５および図６のフローチャートを用いた紙幣処理装置１０の説明では、第１種別が特定金種の真券かつ正券であり、第２種別が特定金種の真券かつ損券である場合について述べたが、このような態様に限定されることはない。例えば、第１種別が単なる正券であり、第２種別が単なる損券であってもよい。
【００７５】
また、例えば、第１種別がおもて面の紙幣であり、第２種別が裏面の紙幣であってもよい。この場合には、１回目の紙幣計数工程において、識別計数部２０によりおもて面の紙幣であると識別された紙幣を集積部３０に送るとともにおもて面の紙幣ではないと識別された紙幣をリジェクト部４０に送るようになる。また、この場合でも、受入部により紙幣を１枚ずつ筐体１２の内部に取り込む動作を行う間はシャッター３４により集積部３０の開口を閉止するようになる。そして、受入部により紙幣が全て筐体１２の内部に取り込まれた後、裏面の紙幣以外の異常券（例えば、偽券、搬送異常券等）がリジェクト部４０にあれば、シャッター３４により集積部３０の開口を閉止し続けるようになる。一方、リジェクト部４０に紙幣が送られなかったり、あるいは裏面の紙幣のみがリジェクト部４０に送られたりした場合には、制御部６０がシャッター駆動機構３５を制御することにより、シャッター３４が開口位置に移動して集積部３０の開口が開かれるようになる。このような変形例に係る紙幣処理装置１０でも、受入部により紙幣が全て筐体１２の内部に取り込まれた後、裏面の紙幣以外の異常券がリジェクト部４０にあればシャッター３４により集積部３０の開口を閉止し続けるので、操作者はリジェクト部４０からしか紙幣を取り出せなくなるため、操作者にとってシンプルな運用を行うことができるようになる。
【００７６】
また、本実施の形態の紙幣処理装置１０による紙幣の計数方法は、単一の金種の紙幣が集積部３０に集積されるような単一金種の正損分類モードに限定されることはない。本実施の形態の紙幣処理装置１０による他の紙幣計数方法として、正券および損券の各種別について紙幣の計数が行われ、かつ、異なる金種の紙幣が混合して集積部３０に集積されるような正損／金種混合モード（ＦＩＴ（ＭＩＸ）モードともいう）が用いられてもよい。この場合には、第１種別は、全ての金種の真券かつ正券となり、第２種別は、全ての金種の真券かつ損券となる。
【００７７】
また、最初に識別された単一の金種の紙幣のみが集積部３０に集積されるようなＤＤモードにおいて、リジェクト部４０に送られた紙幣の情報を操作者が手動で操作表示部６２の操作キー６２ｂにより制御部６０に入力する際に、以下に示すような動作が行われるようになっていてもよい。
【００７８】
まず、従来から用いられている、手動による入力方法について説明する。従来から用いられている入力方法では、紙幣処理装置１０における紙幣の計数処理が終了した後、操作表示部６２の表示部６２ａにおける表示内容が図８（ａ）に示すようなものとなっている場合において、操作者が操作キー６２ｂにおけるマニュアルキーを押下すると、操作表示部６２の表示部６２ａは図８（ｂ）に示すような手動入力画面となる。この際に、カーソル（図８（ｂ）において横方向に延びる線で表示）は、４つの金種のうち最上段にある５０ユーロを指し示すようになっている。そして、操作者が手動で例えば５ユーロ紙幣の入力を行う場合には、操作キー６２ｂにおける下向きの矢印のキーを３回押下する。そうすると、操作表示部６２の表示部６２ａにおけるカーソルは図８（ｃ）に示すように５ユーロを差し示すようになる。そして、操作者が５ユーロ紙幣の枚数を操作キー６２ｂにより手入力する。具体的には、操作キー６２ｂにおける右向きの矢印のキーを２回押下すると、図８（ｄ）に示すように、２枚の５ユーロ紙幣が手入力される。
【００７９】
これに対して、手動による新しい入力方法では、紙幣処理装置１０における紙幣の計数処理が終了した後、操作表示部６２の表示部６２ａにおける表示内容が図８（ａ）に示すようなものとなっている場合において、操作者が操作キー６２ｂにおけるマニュアルキーを押下すると、カーソルは、紙幣処理装置１０の識別計数部２０により識別および計数が行われた紙幣のうち最初に識別された紙幣の金種を指し示すようになる。具体的には、ＤＤモードにおいて紙幣処理装置１０の識別計数部２０により５ユーロ紙幣が最初に識別された場合には、操作者が操作キー６２ｂにおけるマニュアルキーを押下すると、操作表示部６２の表示部６２ａは、図８（ｂ）に示すような手動入力画面とはならず、代わりに図８（ｃ）に示すような手動入力画面となる。この際に、カーソルは、紙幣処理装置１０の識別計数部２０により最初に識別された紙幣の金種である５ユーロを指し示すようになる。その後、図８（ｄ）に示すように、操作者が５ユーロ紙幣の枚数を操作キー６２ｂにより手入力する。
【００８０】
このように、最初に識別された単一の金種の紙幣のみが集積部３０に集積されるようなＤＤモードにおいて、手動による新しい入力方法では、紙幣処理装置１０の識別計数部２０により識別および計数が行われた紙幣のうち最初に識別された紙幣の金種が自動的にカーソルにより指し示されるようになるので、操作者の作業効率を向上させることができるとともに、カーソルの移動ミスにより違算が発生してしまうことを防止することができるようになる。
【符号の説明】
【００８１】
１０  紙幣処理装置
１２  筐体
１４  載置部
１５  紙幣有無センサ
１６  繰出部
１６ａ  キッカローラ
１６ｂ  フィードローラ
１６ｃ  逆転ローラ
１７  繰出部駆動機構
１８  搬送部
１９  搬送部駆動機構
２０  識別計数部
２０ａ  ラインセンサ
２０ｂ  厚み検出センサ
２０ｃ  磁気センサ
２２  分岐部
３０  集積部
３２  羽根車式集積機構
３２ａ  羽根車
３２ｂ  羽根
３４  シャッター
３５  シャッター駆動機構
３６  紙幣有無センサ
４０  リジェクト部
４２  紙幣整列部材
４４  紙幣有無センサ
６０  制御部
６２  操作表示部
６２ａ  表示部
６２ｂ  操作キー
６２ｃ  リジェクトランプ
６４  記憶部
【図１】
0005642607.tif 000002
【図２】
0005642607.tif 000003
【図３】
0005642607.tif 000004
【図４】
0005642607.tif 000005
【図５】
0005642607.tif 000006
【図６】
0005642607.tif 000007
【図７】
0005642607.tif 000008
【図８】
0005642607.tif 000009